(57)【要約】【課題】法面の地山に凹部がある場合にも、型枠の一部が宙に浮くような弊害がなく、十分な強度を確保することができる法枠を提供する。【解決手段】横枠型枠を、横枠の山側に配置する山側金網と、横枠の谷側に配置する谷側金網と、その山側金網と谷側金網との間を連結する、水平方向に上下ニ段に配置した連結筋と、上下ニ段の水平連結筋に、ほぼ鉛直方向に取り付けた鉛直連結筋によって構成する。縦枠の構築と前後して、横枠の横下段鉄筋を配置する。その後、横下段鉄筋の上から、上記の横枠型枠を設置する。その後、横枠型枠の上段の水平連結筋の上から横上段鉄筋を配置し、コンクリートなどを吹き付けを行う。【選択図】        図１０
2007277835.tif 000002
【特許請求の範囲】
【請求項１】
コンクリートなどを吹き付けて法面の傾斜と一致した縦枠と、傾斜と直交する方向の横枠によって格子状の法枠を構築する方法であって、
横枠型枠を、
横枠の山側に配置する山側金網と、
横枠の谷側に配置する谷側金網と、
その山側金網と谷側金網との間を連結する、水平方向に上下ニ段に配置した連結筋と、
上下ニ段の水平連結筋に、ほぼ鉛直方向に取り付けた鉛直連結筋によって構成し、
縦枠の構築と前後して、
横枠の横下段鉄筋を配置した後、
横下段鉄筋の上から、上記の横枠型枠を設置し、
その後に、横枠型枠の上段の水平連結筋の上から。
横上段鉄筋を配置し、
コンクリートなどを吹き付けて行う、
法枠の構築方法。
【請求項２】
横枠型枠の谷側金網の下方の長さを、
地山と接する予定長さよりも長く形成し、
谷側金網の下端が地山に接した状態に折り曲げて設置し、
その後に、コンクリートなどを吹き付けて行う、
請求項１記載の、法枠の構築方法。
【請求項３】
横枠型枠の谷側金網の上方の長さを、
横枠の表面の仕上げ予定長さよりも長く形成し、
谷側の仕上げ面を設計線よりも上方に位置するようにコンクリートなどを吹き付けて行う、
請求１記載の、法枠の構築方法。
【請求項４】
コンクリートなどを吹き付けて法面の傾斜と一致した縦枠と、傾斜と直交する方向の横枠によって構築した格子状の法枠の構造であって、
横枠型枠を、
横枠の山側に配置する山側金網と、
横枠の谷側に配置する谷側金網と、
その山側金網と谷側金網との間を連結する、水平方向に上下ニ段に配置した連結筋と、
上下ニ段の水平連結筋に、ほぼ鉛直方向に取り付けた鉛直連結筋によって構成し、
この横枠型枠の下段の水平連結筋の下に配置した横枠の横下段鉄筋と、
この横枠型枠の上段の水平連結筋の上に配置した横上段鉄筋と
横枠型枠の外周に吹き付けたコンクリートなどによって構成した、
法枠の構造。
【請求項５】
谷側金網の下方の長さを、
地山と接する予定長さよりも長く形成した横枠型枠を使用し、
この横枠型枠の谷側金網は、その下端が地山に接した状態に折り曲げて構成した、
請求項４記載の、法枠の構造。
【請求項６】
谷側金網の上方の長さを、
横枠の表面の仕上げ予定長さよりも長く形成した横枠型枠を使用し、
この横枠型枠の谷側の仕上げ面を、設計線よりも上方に位置するようにコンクリートなどを吹き付けて構成した、
請求４記載の、法枠の構造。
【発明の詳細な説明】
【技術分野】
【０００１】
本発明は、法枠の構造と構築方法に関するものである。
【背景技術】
【０００２】
従来から、鉄筋コンクリート製の縦枠と横枠によって構成する法枠が広く利用されている。
【特許文献１】特開２００１−１１８６１号公報。
【発明の開示】
【発明が解決しようとする課題】
【０００３】
前記した従来の法枠の構造と構築方法にあっては、次のような問題点がある。
＜１＞  コンクリート、モルタルを吹き付けて法枠を構築する場合に、型枠を設置し、この型枠の周囲をコンクリートなどが包囲する状態で吹き付ける。ところが、型枠を設置する法面の表面はかならずしも整然とした平面ではなく、凹凸が形成されているのが普通である。
＜２＞  法面の一部に凸部がある場合には、その凸部を修正掘削するか、あるいは型枠の金網の一部を切り取ればよい。しかし法面の一部にへこみがある場合に、その部分にかかる型枠は宙に浮いた状態となり、所定の強度を得ることが困難な場合がある。
＜３＞  横枠を、地面に直角に配置するのではなく、ほぼ鉛直に配置する場合には、その山側に多量の土砂を蓄積できるから有利であるが、その反面、横枠の山側の縁が鋭い鋭角を形成することになり、破損しやすいという問題がある。
【課題を解決するための手段】
【０００４】
上記のような課題を解決するために、本発明の法枠の構築方法は、コンクリートなどを吹き付けて法面の傾斜と一致した縦枠と、傾斜と直交する方向の横枠によって格子状の法枠を構築する方法であって、横枠型枠を、横枠の山側に配置する山側金網と、横枠の谷側に配置する谷側金網と、その山側金網と谷側金網との間を連結する、水平方向に上下ニ段に配置した連結筋と、上下ニ段の水平連結筋に、ほぼ鉛直方向に取り付けた鉛直連結筋によって構成し、縦枠の構築と前後して、横枠の横下段鉄筋を配置した後、横下段鉄筋の上から、上記の横枠型枠を設置し、その後に、横枠型枠の上段の水平連結筋の上から横上段鉄筋を配置し、コンクリートなどを吹き付けて行う、法枠の構築方法を特徴としたものである。
さらに本発明の法枠の構造は、コンクリートなどを吹き付けて法面の傾斜と一致した縦枠と、傾斜と直交する方向の横枠によって構築した格子状の法枠の構造であって、横枠型枠を、横枠の山側に配置する山側金網と、横枠の谷側に配置する谷側金網と、その山側金網と谷側金網との間を連結する、水平方向に上下ニ段に配置した連結筋と、上下ニ段の水平連結筋に、ほぼ鉛直方向に取り付けた鉛直連結筋によって構成し、この横枠型枠の下段の水平連結筋の下に配置した横枠の横下段鉄筋と、この横枠型枠の上段の水平連結筋の上に配置した横上段鉄筋と、横枠型枠の外周に吹き付けたコンクリートなどによって構成した、法枠の構造を特徴としたものである。
【発明の効果】
【０００５】
本発明の法枠の構造と構築方法は以上説明したようになるから次のような効果を得ることができる。
＜１＞  法面の地山に凹部がある場合にも、型枠の一部が宙に浮くような弊害がなく、十分な強度を確保することができる。
＜２＞  横枠の山側の縁部が鋭い鋭角となることがなく、そのために縁部が破損する可能性が低い。
【発明を実施するための最良の形態】
【０００６】
以下図面を参照にしながら本発明の好適な実施の形態を詳細に説明する。
【実施例】
【０００７】
＜１＞全体の構成。（図１１）
図１１において、本発明の構築方法で構築した法枠が完成した状態の一例を示す。
すなわち本発明は、法面に縦方向の型枠と横方向の型枠とを配置し、それらの型枠に向けてコンクリートやモルタルなど（以下、コンクリートなど）を吹き付けて法面の傾斜と一致した縦枠Ｖと、傾斜と直交する方向の横枠Ｈによって格子状の法枠を構築する方法、あるいはその構造である。
ここで、縦枠Ｖとは、法面の傾斜する方向と一致した方向に配置した枠体である。
また横枠Ｈとは、法面の傾斜する方向と直交する方向に配置した枠体であるが、特に本発明の構成は、法枠の横枠Ｈを、法面の傾斜角度に関係なく、その前面と背面をほぼ鉛直方向に構成した法枠において特徴を発揮できる。
このように、ほぼ鉛直の両面を備えた横枠Ｈを設置すると、法面に直角の面を備えた従来の法枠に比較して、その背面により多量の土砂を蓄積することができ、その後の植物の繁殖にはよりよい条件を提供できる。
【０００８】
＜２＞縦枠Ｖの構築方法の１。
縦枠Ｖを構築する方法、構造は二種類のものが考えられる。
そのひとつについて図１から図５において説明する。
なお、図面では金網以外のすべてに「鉄筋」の文字がつくので、煩雑さを避けるために「鉄筋」の文字を省略してある。したがって図で例えば「縦下段」と記載してあるのは「縦下段の鉄筋」のことである。
ところで、まず１本の縦下段の鉄筋１を、法面上にその傾斜する方向に一致した方向で配置する。
その上に横下段の鉄筋２を、法面の傾斜する方向と直交する方向に配置する。（図１）
次に横下段の鉄筋２に沿わせて、４本の短い鉄筋を井桁状に組んだ井桁鉄筋３を配置する。（図２）
井桁鉄筋３の上下の横方向の上下の鉄筋は、縦枠Ｖの傾斜と同一の傾斜に形成してある。
この井桁鉄筋３の上段の鉄筋に沿わせて縦上段の鉄筋５を配置する。（図３）
縦下段の鉄筋１と縦上段の鉄筋５とは、地山に打設したアンカー４に固定する。
上記のような構成の縦下段の鉄筋１、縦上段の鉄筋５の組み合わせを一定の距離を置いて配置したら、相互に横上段の鉄筋６によって連結する。（図４）
これらの縦上段の鉄筋５、縦下段の鉄筋１を包囲する状態でコンクリートなどを吹き付けて縦枠Ｖを完成する。（図５）
【０００９】
＜３＞縦枠Ｖの構築方法の２。
縦枠Ｖを構築する他の方法、構造を図６から図８において説明する。
まず２本の縦下段の鉄筋１を、法面上にその傾斜する方向に一致した方向に平行に配置する。
その２本の縦下段の鉄筋１の上に横下段の鉄筋２を、法面の傾斜する方向と直交する方向に配置する。（図６）
一方、２枚の金網８１を水平連結材８２で連結して平行に配置した縦枠用型枠８を用意する。（図７）
この縦枠用型枠８を２本の縦下段の鉄筋１の上から被せて設置する。（図８）
その場合に金網８１の下縁から一定の範囲まで切り欠き８１ａを形成しておき、横下段の鉄筋２によって金網８１の設置の障害が発生しないように考慮する。
横下段の鉄筋２の上には、平行に横上段の鉄筋６を配置するが、そのために金網の上縁から一定の範囲まで切り欠き８１ｂを形成しておき、横上段の鉄筋６の設置が金網８１の存在によって障害とならないように考慮する。
ただし、横上段の鉄筋６は、金網８１側面から金網８１の目を通して設置することも可能である。
これらの縦上段の鉄筋５、縦下段の鉄筋１を包囲する状態でコンクリートなどを吹き付けて縦枠Ｖを完成する。
【００１０】
＜４＞横枠用型枠７。
次に横枠Ｈの構築方法について説明するが、その前提として横枠Ｈの構築に使用する横枠用型枠７について説明する。（図９、１０）
本発明で使用する横枠用型枠７は、横枠Ｈの山側に配置する山側金網７１と、横枠Ｈの谷側に配置する谷側金網７２と、山側金網７１と谷側金網７２との間を連結する水平方向に上下ニ段に配置した連結筋７３と、上下ニ段の水平連結筋７３に、ほぼ鉛直方向に取り付けた鉛直連結筋７４によって構成する。
山側金網７１、谷側金網７２とも、鉛直方向、または鉛直に近い角度で設置する金網である。
さらに本発明の横枠用型枠７においては、横枠用型枠７の谷側金網７２の下方の裾７２ａの長さを、地山と接する予定長さよりも長く形成する。
ここで予定長さとは、設計図で法面を正確な平面として描いた場合に予定される長さのことである。
さらに本発明の横枠用型枠７では、その谷側金網７２の上方の長さを横枠Ｈの表面の仕上げ予定長さよりも一定寸法ｈだけ長く形成する。
ここで仕上げ予定長さとは、設計図で横枠Ｈの表面を、正確に法面と平行に形成するとして描いた場合に予定される表面に達するまでの長さのことである。
なお、山側金網７１は金網に代えて板体を使用することもできる。その場合には山側の板体はコンクリートの吹きつけ後に解体せず、埋め殺しにしておく。
【００１１】
＜５＞横枠用型枠７の設置。
上記したような縦枠Ｖの構築と前後して、すでに配置してある横枠Ｈの横下段の鉄筋２の上から、上記の横枠用型枠７を設置する。（図９）
その後に、横枠用型枠７の上段の水平連結筋７３の上から横上段の鉄筋６を配置する。
横枠用型枠７は前記したように谷側金網７２の下端までの長さ７２ａが予定長さよりも長く形成してある。
そのために、法面が設計図と同様に整然とした平面で仕上げてある場合には谷側金網７２の下端の裾７２ａが地山に接してしまう。
その場合には、裾７２ａの部分を折り曲げて設置する。
その際に、折り曲げ部分にアンカーを打ち込んだりして固定することもできる。
ただし、法面が設計図よりも深くえぐれているような場合には、裾７２ａの部分を折り曲げることなく、あるいは他の部分とは異なったゆるい角度で折り曲げて配置する。
この結果、法面に凹部が形成されていても、横枠用型枠７の谷側金網７２は法面の形状に確実になじんだ状態で配置することができる。
【００１２】
＜６＞コンクリートなどの吹きつけ。
上記したように、横枠用型枠７の谷側金網７２の上方の長さは、横枠Ｈの表面の仕上げ予定長さよりも一定寸法ｈだけ長く形成してある。（図１０、図１１）
このような谷側金網７２を備えた横枠用型枠７を使用してコンクリートなどを吹きつけた場合に、その吹き付け量が、設計図通りであると、谷側金網７２の上端が寸法ｈだけ横枠Ｈの表面から突出してしまう。
そこで谷側金網７２の上端が隠れる程度までコンクリートなどを吹きつける。
すると、横枠Ｖの山側の縁部ｐの形成する角度は、設計角度αよりも鈍い角度（αプラスβ）に形成される。（図１０の右図）
その結果、横枠Ｈの山側の縁部ｐの破損の可能性を大きく低下させることができる。
【図面の簡単な説明】
【００１３】
【図１】本発明の法枠において、縦枠Ｖを構築する方法の一実施例の説明図。
【図２】図１の方法の工程の説明図。
【図３】図１の方法の工程の説明図。
【図４】図１の方法の工程の説明図。
【図５】図１の方法の工程の説明図。
【図６】縦枠を構築する他の方法の一実施例の説明図。
【図７】図６の方法の工程の説明図。
【図８】図６の方法の工程の説明図。
【図９】横枠を構築するために横枠用型枠を配置する状態の説明図。
【図１０】横枠の谷側金網の配置と、設計線との関係を示す断面図。
【図１１】完成した法枠の一例の全体図。
【符号の説明】
【００１４】
１：縦下段の鉄筋１
２：横下段の鉄筋２
３：井桁３
４：アンカー４
５：縦上段の鉄筋５
６：横上段の鉄筋６
７：横枠用型枠７
【図１】
2007277835.tif 000003
【図２】
2007277835.tif 000004
【図３】
2007277835.tif 000005
【図４】
2007277835.tif 000006
【図５】
2007277835.tif 000007
【図６】
2007277835.tif 000008
【図７】
2007277835.tif 000009
【図８】
2007277835.tif 000010
【図９】
2007277835.tif 000011
【図１０】
2007277835.tif 000012
【図１１】
2007277835.tif 000013